(57)【要約】      （修正有）【課題】本発明は、真空掃除機の排出空気が排出されるか否かに応じて、芳香剤が真空掃除機の外部へ選択的に排出されるようにすることで、芳香剤の寿命を延長して芳香剤の入れ替え周期が延長されるように構造を改善した香り発生装置が備えられた真空掃除機を提供する。【解決手段】香りを発散する芳香成分を有する芳香剤を、前記真空掃除機が稼動され排出孔を介して排出空気が排出される場合、前記排出孔及び第１空気通過孔を通過した空気が外部カバーを押して第２空気通過孔を開放させることにより、前記排出空気は前記第２空気通過孔を介して芳香成分と共に外部へ排出され、前記真空掃除機が稼動されず前記排出孔を介して排出空気が排出されない場合、前記外部カバー部材の自重によって前記第２空気通過孔が密閉されることを特徴とする。【選択図】図４Ａ
2008272442.tif 000002
【特許請求の範囲】
【請求項１】
真空掃除機の本体に設けられたグリル部材の排出孔に取り付けられ被掃除面の埃を含む空気を吸引して埃を分離した後、前記排出孔を介して排出される排出空気に芳香剤を排出する香り発生装置を備えた真空掃除機であって、
前記香り発生装置が、
前記排出孔と連通される第１空気通過孔と、外部と連通される第２空気通過孔とを備えるハウジングと、
前記第２空気通過孔を選択的に開閉できるように前記ハウジングに回動自在に設けられる外部カバー部材と、
前記ハウジングの内部に設けられ、香りを発散する芳香成分を有する芳香剤と、を含み、
前記真空掃除機が稼動され前記排出孔を介して排出空気が排出される場合、前記排出孔及び前記第１空気通過孔を通過した空気が前記外部カバーを押して前記第２空気通過孔を開放させることにより、前記排出空気は前記第２空気通過孔を介して前記芳香成分と共に外部へ排出され、
前記真空掃除機が稼動されず前記排出孔を介して排出空気が排出されない場合、前記外部カバー部材の自重によって前記第２空気通過孔が密閉されることを特徴とする香り発生装置を備えた真空掃除機。
【請求項２】
前記香り発生装置が、
前記第１空気通過孔を選択的に開閉できるように前記ハウジングに回動自在に設けられる内部カバー部材を更に含み、
前記真空掃除機が稼動され前記排出孔を介して排出空気が排出される場合、前記排出空気が前記内部カバー部材を回動させて前記第１空気通過孔が開放され、
前記真空掃除機が稼動されず前記排出孔を介して排出空気が排出されない場合、前記内部カバー部材の自重によって前記第１空気通過孔が密閉されることを特徴とする請求項１に記載の香り発生装置を備えた真空掃除機。
【請求項３】
前記内部カバー部材が前記第１空気通過孔を閉鎖させる方向に弾性力を付与する第１弾性部材と、前記外部カバー部材が前記第２空気通過孔を閉鎖させる方向に弾性力を付与する第２弾性部材を更に含み、
前記内部カバー部材及び前記外部カバー部材は前記排出孔を介して排出される排出空気の力によって前記第１空気通過孔及び前記第２空気通過孔が開放されるように回動され、
前記真空掃除機本体の稼動が中断され前記排出孔から排出空気が排出されなければ、前記内部カバー部材及び前記外部カバー部材は前記第１弾性部材および前記第２弾性部材によって前記第１空気通過孔及び前記第２空気通過孔が閉鎖されるように回動されることを特徴とする請求項１に記載の香り発生装置を備えた真空掃除機。
【請求項４】
前記ハウジングが、
一方が開放され、内部に着脱自在に前記芳香剤が設けられ、複数の結合溝が形成されるハウジング本体と、
前記複数の結合溝に結合され前記開放された前記ハウジング本体を覆うように前記複数の結合溝に対応される結合突起が備えられたハウジング蓋と、
を含むことを特徴とする請求項１に記載の香り発生装置を備えた真空掃除機。
【請求項５】
前記ハウジングが、
一方が開放され、内部に着脱自在に前記芳香剤が設けられるハウジング本体と、
前記ハウジング本体に回動自在に設けられ前記開放されたハウジング本体を選択的に開閉できるように設けられるハウジング蓋と、
を含むことを特徴とする請求項１に記載の香り発生装置を備えた真空掃除機。
【請求項６】
前記外部カバー部材が前記ハウジング本体の上面に設けられることを特徴とする請求項４または請求項５に記載の香り発生装置を備えた真空掃除機。
【請求項７】
前記外部カバー部材が前記ハウジング本体の側面に設けられることを特徴とする請求項４または請求項５に記載の香り発生装置を備えた真空掃除機。
【請求項８】
前記外部カバー部材が前記ハウジング蓋に設けられることを特徴とする請求項４または請求項５に記載の香り発生装置を備えた真空掃除機。
【発明の詳細な説明】
【技術分野】
【０００１】
本発明は真空掃除機に関し、より詳細には香りを発生させることができる香り発生装置を備えた真空掃除機に関する。
【背景技術】
【０００２】
一般的に真空掃除機は被掃除面とノズルアセンブリとが接触した状態で汚物を含む外部空気が吸引され、その後、空気流路を介して真空掃除機の本体に内蔵された集塵装置に流入されると、集塵装置で汚物が分離された後、浄化された排出空気が真空掃除機本体の外部へ排出されることにより掃除動作が行われる。
【０００３】
このような従来の真空掃除機は、底面の埃や汚物などをノズルアセンブリにより吸引してからそれを浄化した後に排出することに止まるので、悪臭や臭いはそのまま被掃除面の空間に残され、ユーザが新鮮な空気を望む場合には掃除空間を一定時間の間換気させなければならない煩雑さがある。また、ユーザがさわやかな香りや快適な室内空気を組成するためには、香りを発生させる芳香剤を購入したり芳香液を噴霧する必要があり、このような芳香剤や芳香液を使う時にもユーザが一々所定空間を歩き回りながら芳香剤や芳香液を使わなければならない不便があった。
【０００４】
このような問題を解決するために、特許文献１には、真空掃除機の排風口において、モータの排気管に連結され、本体の一方に回動自在に形成された排風口本体と、前記排風口本体に回動自在に設けられた俳風板と、前記俳風板に締結され芳香剤が収納される収納箱が開示されている。しかし、このような構造では、真空掃除機が稼動されるときに排出空気によって芳香剤が外部へ排出されるだけではなく、真空掃除機が稼動されない場合にも密閉されていない収納箱に設けられた芳香剤が俳風板を介して外部へ排出されることにより、芳香剤の入れ替え周期が短くなるという短所を持っていた。
【０００５】
また、特許文献２には、排気熱によって加熱され香りが発生されるようにした芳香剤が開示されているが、これにより本体の電源がオフされモータが駆動しない場合には芳香剤が消耗されないため芳香剤の使用寿命が長くなる長所はある。しかし、このような特性を有する芳香剤は、室内温度が上昇した状態であるとか真空掃除機が光に露出される場所に置かれている場合、真空掃除機が稼動していない場合でも芳香剤が加熱されて外部へ排出される短所があり、また芳香剤が真空掃除機本体の内部へ設けられているためユーザが入れ替え難いという短所がある。
【０００６】
また、特許文献３には、掃除機が動作するとコイルに周期的に電源が供給され、電源が供給される間には閉鎖されていた空気通路が開かれ芳香剤の香りが供給される構造が開示されている。しかし、この発明は部品数が多く複雑な構造を有するため、広い設置空間を必要とする短所を有する。
【特許文献１】大韓民国公告実用新案第２０−０２０１７９６号公報
【特許文献２】大韓民国公開特許第１０−１９９９−０２８９４９号公報
【特許文献３】大韓民国公開実用新案第２０−１９９２−０００８６８０号公報
【発明の開示】
【発明が解決しようとする課題】
【０００７】
本発明は前述の問題点を解決するために提出されたもので、本発明の目的は、真空掃除機の排出空気が排出されるか否かに応じて、芳香剤が真空掃除機の外部へ選択的に排出されるようにすることで、芳香剤の寿命を延長して芳香剤の入れ替え周期が延長されるように構造を改善した香り発生装置が備えられた真空掃除機を提供することにある。
【課題を解決するための手段】
【０００８】
前述の目的を達成するための本発明に係る香り発生装置を備えた真空掃除機は、真空掃除機の本体に設けられたグリル部材の排出孔に取り付けられ被掃除面の埃を含む空気を吸引して埃を分離した後、前記排出孔を介して排出される排出空気に芳香剤を排出する香り発生装置を備えた真空掃除機において、前記香り発生装置が、前記排出孔と連通される第１空気通過孔と、外部と連通される第２空気通過孔とを備えるハウジングと、前記第２空気通過孔を選択的に開閉できるように前記ハウジングに回動自在に設けられる外部カバー部材と、前記ハウジングの内部に設けられ、香りを発散する芳香成分を有する芳香剤と、を含み、前記真空掃除機が稼動され前記排出孔を介して排出空気が排出される場合、前記排出孔及び前記第１空気通過孔を通過した空気が前記外部カバーを押して前記第２空気通過孔を開放させることにより、前記排出空気は前記第２空気通過孔を介して前記芳香成分と共に外部へ排出され、前記真空掃除機が稼動されず前記排出孔を介して排出空気が排出されない場合、前記外部カバー部材の自重によって前記第２空気通過孔が密閉されることを特徴とする。
【０００９】
また、前記香り発生装置は、前記第１空気通過孔を選択的に開閉できるように前記ハウジングに回動自在に設けられる内部カバー部材を更に含み、前記真空掃除機が稼動され前記排出孔を介して排出空気が排出される場合、前記排出空気が前記内部カバー部材を回動させて前記第１空気通過孔が開放され、前記真空掃除機が稼動されず前記排出孔を介して排出空気が排出されない場合、前記内部カバー部材の自重によって前記第１空気通過孔が密閉されることが好ましい。
【００１０】
また、前記内部カバー部材が前記第１空気通過孔を閉鎖させる方向に弾性力を付与する第１弾性部材と、前記外部カバー部材が前記第２空気通過孔を閉鎖させる方向に弾性力を付与する第２弾性部材を更に含み、前記内部カバー部材及び前記外部カバー部材は前記排出孔を介して排出される排出空気の力によって前記第１空気通過孔及び前記第２空気通過孔が開放されるように回動され、前記真空掃除機本体の稼動が中断され前記排出孔から排出空気が排出されなければ、前記内部カバー部材及び前記外部カバー部材は前記第１弾性部材及び前記第２弾性部材によって前記第１空気通過孔及び前記第２空気通過孔が閉鎖されるように回動される構造にすることができる。
【００１１】
また、前記ハウジングは、一方が開放され、内部に着脱自在に前記芳香剤が設けられ、複数の結合溝が形成されるハウジング本体と、前記複数の結合溝に結合され前記開放された前記ハウジング本体を覆うように前記複数の結合溝に対応される結合突起が備えられたハウジング蓋と、を含むことができる。
【００１２】
一方、前記ハウジングは、一方が開放され、内部に着脱自在に前記芳香剤が設けられるハウジング本体と、前記ハウジング本体に回動自在に設けられ前記開放されたハウジング本体を選択的に開閉できるように設けられるハウジング蓋と、を含むことができる。
【００１３】
また、前記外部カバー部材は前記ハウジング本体の上面に設けられることが好ましい。
また、前記外部カバー部材は前記ハウジング本体の側面に設けられることができる。
また、記外部カバー部材は前記ハウジング蓋に設けられることができる。
【発明の効果】
【００１４】
本発明によると、本発明の一実施形態に係る香り発生装置を備えた真空掃除機は、第１及び第２空気通過孔を有するハウジング、内部カバー部材、外部カバー部材による簡単な構造によって、真空掃除機が稼動されるときには香りを室内空間に発散させ、真空掃除機が稼動されないときには芳香剤が室内空間や真空掃除機の本体内部に発散されないように香り発生装置のハウジングを外部及び真空掃除機の本体から密閉させることができ、芳香剤の入れ替え周期を延長できる効果を奏する。
【００１５】
また、本実施形態に係る香り発生装置は内部カバー部材及び外部カバー部材の自重によって第１及び第２空気通過孔を閉鎖できるので、簡単な構造であるだけではなく別の動力を必要としないという効果を奏する。
【００１６】
また、本実施形態に係る香り発生装置は真空掃除機本体の排気グリルの外側に着脱自在に設けられるので、装着及び分離が容易であり、かつ香り発生装置の内部にある芳香剤の入れ替えも容易にすることができる長所を有する。
【発明を実施するための最良の形態】
【００１７】
以下、添付の図面に基づいて本発明の一実施形態に係る香り発生装置を備えた真空掃除機２００について詳述する。
【００１８】
図１及び図２に示すように、本実施形態に係る香り発生装置が備えられた真空掃除機２００は、真空掃除機の本体２１０、ハンドル部２２０、延長管２３０、フレキシブルホース２４０、ノズル組立体２５０、及び香り発生装置１００を含む。本実施形態において香り発生装置１００を備えた真空掃除機２００は、香り発生装置１００を除いたそれ以外の構成、すなわち真空掃除機の本体２１０、ハンドル部２２０、延長管２３０、フレキシブルホース２４０、ノズル組立体２５０は通常の真空掃除機の構造と同様であるので簡略に説明し、香り発生装置１００について詳細に説明することとする。
【００１９】
真空掃除機の本体２１０は吸引源を提供するための真空モータ（図示せず）と、汚物を含む外部空気から汚物を分離するための集塵装置（図示せず）が内蔵され、浄化された排出空気が外部へ排出されるようにグリル部材２１１が設けられる。この場合、排出空気はグリル部材２１１に形成された排出孔２１１ａを介して排出される。
【００２０】
ハンドル部２２０は真空掃除機の本体２１０とノズル組立体２５０との間に配置され、ノズル組立体２５０を操作するためにユーザが把持できる形状で形成される。
【００２１】
延長管２３０はノズル組立体２５０とハンドル部２２０とを連結し、フレキシブルホース２４０はハンドル部２２０と真空掃除機の本体２１０とを連結させる。
【００２２】
ノズル組立体２５０は被掃除面の汚物を吸引するために底面に吸引口（図示せず）が形成され、前記吸引口（図示せず）を介して流入された埃を含む空気が延長管２３０に流入されるようにノズル組立体２５０は延長管２３０と連通するように結合される。
【００２３】
図３、図４Ａ、及び図４Ｂに示すように、本実施形態に係る香り発生装置１００は、ハウジング１０１、内部カバー部材１１５、外部カバー部材１２５、及び芳香剤１４０を含む。
【００２４】
ハウジング１０１はハウジング本体１０１ａとハウジング蓋１０１ｂを含む。
ハウジング本体１０１ａは一方が開放された箱型に形成され、他方にはグリル部材２１１の排出孔２１１ａに結合され着脱できるように係止突起１０４ａ及び延長突起１０４ｂが形成される。この場合、ハウジング本体１０１ａはグリル部材２１１の外側に着脱自在に装着される。また、ハウジング本体１０１ａにはグリル部材２１１の排出孔２１１ａと連通するように第１空気通過孔１１０が形成され、排出孔２１１ａと第１空気通過孔１１０を介してハウジング１０１内部に流入された排出空気が外部へ排出されるように、外部とハウジング１０１内部を連結する第２空気通過孔１２０が形成される。一方、ハウジング本体１０１ａの内部には芳香剤１４０が装着できる装着リブ１０８が設けられ、ハウジング蓋１０１ｂと着脱自在に開放されたハウジング本体１０１ａの両側壁にはそれぞれ複数の結合溝１０３が形成された延長片１０２が延長突出される。
【００２５】
ハウジング蓋１０１ｂはハウジング本体１０１ａの開放された部分を覆って排出孔２１１ａ及び第１空気通過孔１１０を通過した排出空気が第２空気通過孔１２０を介して外部へ排出されるように流路を形成するためのものであって、ハウジング本体１０１ａの結合溝１０３に対応する位置に結合突起１０５が形成され、大体四角板状で形成される。
【００２６】
内部カバー部材１１５は第１空気通過孔１１０を選択的に開放できるようにハウジング本体１０１ａの内面一側に設置され、第１ヒンジ部１１６によって回動自在に設けられる。この場合、真空掃除機が稼動されて排出孔２１１ａから排出空気が排出されると、排出孔２１１ａと連通する第１空気通過孔１１０に排出空気が伝達され、排出空気の流れによって内部カバー部材１１５は第１ヒンジ部１１６を中心に回動し、排出空気がハウジング１０１の内部に流入されるように第１空気通過孔１１０を開放させる。一方、真空掃除機が稼動されず排出孔２１１ａから排出空気が排出されないと、内部カバー部材１１５は自重によって第１ヒンジ部１１６を中心に回動し第１空気通過孔１１０を閉鎖させる。
【００２７】
外部カバー部材１２５は第２空気通過孔１２０を選択的に開放できるようにハウジング本体１０１ａの上部外面に設置され、第２ヒンジ部１２６によって回動自在に設けられる。この場合、真空掃除機が稼動されて排出孔２１１ａ及び第１空気通過孔１１０を通過した排出空気はハウジング１０１の内部を介して外部カバー部材１２５に伝達され、このとき排出空気が外部カバー部材１２５を押して外部カバー部材１２５は第２ヒンジ部１２６を中心に回動し、ハウジング１０１の内部にある排出空気が外部へ排出されるように第２空気通過孔１２０を開放させる。一方、真空掃除機が稼動されず排出孔２１１ａから排出空気が排出されないと、外部カバー部材１２５は自重によって第２ヒンジ部１２６を中心に回動し第２空気通過孔１２０を閉鎖させる。
【００２８】
芳香剤１４０は一般的に香りを発散するように所定の揮発性を有し、ハウジング本体１０１ａに設けられた装着リブ１０８に着脱自在に設けられる。また、芳香剤１４０としてはフィットンチッド、抗アレルギー、殺菌のような機能性芳香剤を使用することができ、装着リブ１０８に装着されるようにティバックタイプで設けられる。この場合、ユーザはハウジング本体１０１ａからハウジング蓋１０１ｂを容易に外した後、装着リブ１０８から芳香剤１４０を入れ替えることができる。
【００２９】
但し、本実施形態においては芳香剤１４０が装着リブ１０８に設けられることとしたが、マジックテープ（登録商標）によってハウジング１０１の内部に装着されることも可能である。
【００３０】
以下、図１、図４Ａ、及び図４Ｂに基づいて本発明の一実施形態に係る香り発生装置１００を備えた真空掃除機２００の作動について説明することとする。
【００３１】
図４Ａは真空掃除機が稼動され排出孔２１１ａを介して排出空気が排出されるときの香り発生装置１００の状態を示す図であり、図４Ｂは真空掃除機が稼動されず排出孔２１１ａを介して排出空気が排出されないときの香り発生装置１００の状態を示す図である。
【００３２】
まず、ユーザが真空掃除機を稼動すると、ノズル組立体２５０を介して流入された埃を含む外部空気は、延長管２３０、ハンドル部２２０、フレキシブルホース２４０を順に通過して真空掃除機本体２１０の内部に装着された集塵装置（図示せず）で埃が分離される。その後、排出空気は真空掃除機本体２１０の排気グリル２１１に形成された排出孔２１１ａを介して外部、すなわち室内空間に排出される。この場合、図４Ａに示すように、排出孔２１１ａを介して排出される排出空気中の一部は排出孔２１１ａと連通された第１空気通過孔１１０に伝達され、この排出空気は内部カバー部材１１５を押して内部カバー部材１１５が第１ヒンジ部１１６を中心に回動することで第１空気通過孔１１０を開放させるようになり、排出空気は第１空気通過孔１１０を介してハウジング１０１の内部に流入される。ハウジング１０１の内部に流入された排出空気は芳香剤１４０から発散される芳香成分と混合され、芳香成分が混合された排出空気は第２空気通過孔１２０に伝達され、この排出空気は外部カバー部材１２５を押し外部カバー部材１２５が第２ヒンジ部１２６を中心に回動し、これにより第２空気通過孔１２０が開放されることにより、芳香成分が混合された排出空気は第２空気通過孔１２０を介して外部（室内空間）へ排出され掃除空間を香りが良くて快適な空間にすることができる。
【００３３】
その後、掃除動作の終了によって真空掃除機が稼動されず排出孔２１１ａを介して排出空気が排出されないと、図４Ｂに示すように、第１空気通過孔１１０に排出空気が伝達されなくなり内部カバー部材１１５は自重によって第１空気通過孔１１０が閉鎖される方向に第１ヒンジ部１１６を中心に回動する。同様に、第２空気通過孔１２０にも排出空気が伝達されなくなり、外部カバー部材１２５は自重によって第２空気通過孔１２０が閉鎖される方向に第２ヒンジ部１２６を中心に回動する。これにより、内部に芳香剤１４０が設けられたハウジング１０１は外部から密閉され、真空掃除機が稼動しないときには外部に芳香剤を発生させない。
【００３４】
このように、真空掃除機が稼動するときには排出空気が内部カバー部材１１５及び外部カバー部材１２５を押して回動させることで、第１及び第２空気通過孔１１０、１２０を開放させて掃除空間に芳香成分が排出空気と共に排出されるようにし、逆に、真空掃除機が稼動しないときには内部カバー部材及び外部カバー部材１１５、１２５が自重によって第１及び第２空気通過孔１１０、１２０が閉鎖されるように回動してハウジング１０１の内部を外部及び排出孔２１１ａから密閉させることで、それ以上芳香剤１４０の芳香成分が排出されないようにすることができるので、芳香剤１４０の入れ替え周期を延長させることができる。
【００３５】
一方、本実施形態ではハウジング１０１が係止突起１０４ａ及び延長突起１０４ｂによって真空掃除機本体２１０のグリル部材２１１に着脱自在に設けられることにより、香り発生装置１００を使用しないときには真空掃除機本体２１０から外して保管することができる効果がある。また、ハウジング本体１０１ａとハウジング蓋１０１ｂが結合突起１０５及び結合溝１０３によって簡単な構造で結合されているため、ハウジング１０１の内部にある芳香剤１４０を入れ替える場合、ハウジング蓋１０１ｂをハウジング本体１０１ａから簡単に分離及び結合して芳香剤１４０を入れ替えられるという効果がある。
【００３６】
一方、本実施形態では、第１空気通過孔１１０及び第２空気通過孔１２０を閉鎖できるように内部カバー部材１１５及び外部カバー部材１２５が自重によって回動するようになっているが、図５に示すように、内部カバー部材１１５が第１空気通過孔１１０を閉鎖する方向に弾性バイアスされるよう第１ヒンジ部１１６に第１スプリング１１８が設けられ、外部カバー部材１２５が第２空気通過孔１２０を閉鎖する方向に弾性バイアスされるよう第２ヒンジ部１２６に第２スプリング１２８が設けられることが可能である。この場合、第１スプリング１１８及び第２スプリング１２８は、掃除機が稼動するときに排出孔２１１ａを介して排出される排出空気の流れにより、第１及び第２空気通過孔１１０、１２０が開放されるように内部カバー部材及び外部カバー部材１１５、１２５を回動させ、真空掃除機が稼動しなくて排出孔２１１ａを介して排出空気が排出されないとき、第１及び第２空気通過孔１１０、１２０が閉鎖されるように内部カバー部材及び外部カバー部材１１５、１２５を回動させることができる弾性力を持たなければならない。
【００３７】
一方、本実施形態においては、外部カバー部材１２５がハウジング本体１０１ａの上側外面に設けられることとしているが、図６に示すように、外部カバー部材１２５がハウジング本体１０１ａの側面に設けられることが可能である。また、図７に示すように、外部カバー部材１２５がハウジング蓋１０１ｂに設けられうことも可能である。
【００３８】
一方、本実施形態においては、芳香剤１４０を入れ替えるために、ハウジング蓋１０１ｂとハウジング本体１０１ａとが結合突起１０５及び結合溝１０３によって着脱自在に結合されているが、図６に示すように、ハウジング蓋１０１ｂがヒンジ軸３０１によって回動し、ハウジング本体１０１ａの一側を開放させることで、芳香剤１４０を入れ替えることもできる。
【００３９】
以上、本発明の好適な実施形態を図示及び説明してきたが、本発明の技術的範囲は前述の実施形態に限定するものではなく、特許請求の範囲に基づいて定められ、特許請求の範囲において請求する本発明の要旨から外れることなく当該発明が属する技術分野において通常の知識を有する者であれば誰もが多様な変形実施が可能であることは勿論のことであり、該変更した技術は特許請求の範囲に記載された発明の技術的範囲に属するものである。
【図面の簡単な説明】
【００４０】
【図１】本発明の一実施形態に係る香り発生装置を備えた真空掃除機を示す斜視図である。
【図２】本発明の一実施形態に係る香り発生装置が真空掃除機の本体に装着されたことを示す図である。
【図３】本発明の香り発生装置の斜視図である。
【図４Ａ】真空掃除機が稼動される場合の香り発生装置の状態を示す図である。
【図４Ｂ】真空掃除機が稼動されない場合の香り発生装置の状態を示す図である。
【図５】第１及び第２ヒンジ部に第１及び第２スプリングが設けられた構造を示す図である。
【図６】ハウジング蓋とハウジング本体との結合構造及び外部カバー部材の設置形態に対する他の例を示す図である。
【図７】外部カバー部材の設置形態に対するもう一つの他の例を示す図である。
【符号の説明】
【００４１】
１００      香り発生装置
１０１      ハウジング
１０１ａ    ハウジング本体
１０１ｂ    ハウジング蓋
１０２      延長片
１０３      結合溝
１０５      結合突起
１１０      第１空気通過孔
１１５      内部カバー部材
１１６      第１ヒンジ部
１１８      第１スプリング
１２０      第２空気通過孔
１２５      外部カバー部材
１２６      第２ヒンジ部
１２８      第２スプリング
２１０      真空掃除機本体
２１１      グリル部材
２１１ａ    排出孔
２２０      ハンドル部材
２３０      延長管
２４０      フレキシブルホース
２５０      ノズル組立体
【図１】
2008272442.tif 000003
【図２】
2008272442.tif 000004
【図３】
2008272442.tif 000005
【図４Ａ】
2008272442.tif 000006
【図４Ｂ】
2008272442.tif 000007
【図５】
2008272442.tif 000008
【図６】
2008272442.tif 000009
【図７】
2008272442.tif 000010